【手続補正書】
【提出日】平成19年3月28日(2007.3.28)
【手続補正１】
【補正対象書類名】明細書
【補正対象項目名】特許請求の範囲
【補正方法】変更
【補正の内容】
【特許請求の範囲】
【請求項１】
静電潜像担持体に担持された静電潜像を可視化するための現像剤を担持する現像剤担持体であって、基体と、該基体表面に形成された樹脂被覆層とを少なくとも有し、前記樹脂被覆層は、黒鉛化度ｐ（００２）が０．２０〜０．９５であり且つ下記式（１）により得られる円形度の平均値である平均円形度ＳＦ−１が０．６４以上である黒鉛化粒子を、少なくとも含有することを特徴とする現像剤担持体。
【数１】
円形度 ＝ （４×Ａ）／｛（ＭＬ）2×π｝ （１）
［式中、ＭＬは粒子投影像のピタゴラス法最大長を表し、Ａは粒子投影像の面積を表す。］
【請求項２】
前記黒鉛化粒子の黒鉛化度ｐ（００２）が０．２５〜０．７５であることを特徴とする請求項１記載の現像剤担持体。
【請求項３】
前記黒鉛化粒子はメソカーボンマイクロビーズ粒子を黒鉛化して得られたものであることを特徴とする請求項１または２記載の現像剤担持体。
【請求項４】
前記黒鉛化粒子はバルクメソフェーズピッチ粒子を黒鉛化して得られたものであることを特徴とする請求項１または２記載の現像剤担持体。
【請求項５】
前記黒鉛化粒子の個数平均粒径が０．５〜２５μｍであることを特徴とする請求項１〜４のいずれか一項に記載の現像剤担持体。
【請求項６】
前記樹脂被覆層が導電性微粒子を更に含有することを特徴とする請求項１〜５のいずれか一項に記載の現像剤担持体。
【請求項７】
前記樹脂被覆層が、該樹脂被覆層表面に凹凸を付与する、個数平均粒径が１〜３０μｍの球状粒子を更に含有することを特徴とする請求項１〜６のいずれか一項に記載の現像剤担持体。
【請求項８】
前記樹脂被覆層が、１０-2〜１０5Ω・ｃｍの体積抵抗を有する導電性被覆層であるこ
とを特徴とする請求項１〜７のいずれか一項に記載の現像剤担持体。
【請求項９】
前記樹脂被覆層の算術平均粗さＲａが０．３〜３．５μmであることを特徴とする請求
項１〜８のいずれか一項に記載の現像剤担持体。
【請求項１０】
現像剤を収容する現像剤容器と、該現像剤容器内に収容されている現像剤を層状に担持する現像剤担持体とを有し、静電潜像担持体に対向する現像領域へ前記担持された現像剤を搬送し、前記搬送された現像剤により静電潜像担持体に担持された静電潜像を現像して可視化するための現像装置であって、前記現像剤担持体が請求項１〜９のいずれか一項に記載の現像剤担持体であることを特徴とする現像装置。
【請求項１１】
前記現像剤担持体上に前記現像剤の層を形成するための現像剤層厚規制部材を更に有することを特徴とする請求項１０記載の現像装置。
【請求項１２】
前記現像剤層厚規制部材が磁性規制ブレードであることを特徴とする請求項１１記載の現像装置。
【請求項１３】
前記現像剤層厚規制部材が、前記現像剤の層を介して前記現像剤担持体に弾性的に圧接されることを特徴とする請求項１１記載の現像装置。
【請求項１４】
前記現像剤層厚規制部材が弾性規制部材であることを特徴とする請求項１３記載の現像装置。
【請求項１５】
前記現像剤が磁性トナーを含む磁性一成分系現像剤であることを特徴とする請求項１０〜１４のいずれか一項に記載の現像装置。
【請求項１６】
前記現像剤が非磁性トナーを含む非磁性一成分系現像剤であることを特徴とする請求項１０、１１、１３または１４のいずれか一項に記載の現像装置。
【請求項１７】
前記現像剤がトナーとキャリアとを含む二成分系現像剤であることを特徴とする請求項１０〜１４のいずれか一項に記載の現像装置。
【請求項１８】
前記現像装置は、前記現像領域で振動電界を形成する手段を有する電源をさらに有することを特徴とする請求項１０〜１７のいずれか一項に記載の現像装置。
【請求項１９】
前記電源は、前記現像剤担持体に交番バイアス電圧を印加するためのものであることを特徴とする請求項１８記載の現像装置。
【請求項２０】
前記現像剤担持体の表面に形成される現像剤の層の厚さは、前記現像領域を形成する前記静電潜像担持体と前記現像剤担持体の最小間隙よりも薄いことを特徴とする請求項１０〜１８のいずれか一項に記載の現像装置。
【請求項２１】
静電潜像担持体上に形成された静電潜像を現像剤によって可視化してトナー画像を形成し、該トナー画像を転写材に転写することにより画像を形成するための画像形成装置本体に脱着可能に装着されるプロセスカートリッジであって、静電潜像を担持するための静電潜像担持体と、前記静電潜像を現像剤によって現像し、現像画像を形成するための現像手段と、（ｉ）静電潜像担持体を帯電させる帯電手段、(ii)前記静電潜像担持体上に静電潜像を形成する潜像形成手段、（iii）前記現像画像を転写材に転写する転写手段、および
（iv）静電潜像担持体上の転写残余の現像剤を除去するクリーニング手段から選ばれ、且つ前記現像手段と一体に支持される少なくとも１つの手段とを有し、前記現像手段は、現
像剤を収容する現像剤容器と、請求項１〜９のいずれか一項に記載の現像剤担持体とを有することを特徴とするプロセスカートリッジ。
【請求項２２】
前記静電潜像担持体が電子写真用感光体であることを特徴とする請求項２１記載のプロセスカートリッジ。
【請求項２３】
前記現像手段が、前記現像剤担持体上に前記現像剤の層を形成するための現像剤層厚規制部材を更に有することを特徴とする請求項２１または２２記載のプロセスカートリッジ。
【請求項２４】
前記現像剤層厚規制部材が磁性規制ブレードであることを特徴とする請求項２３記載のプロセスカートリッジ。
【請求項２５】
前記現像剤層厚規制部材が、前記現像剤の層を介して前記現像剤担持体に弾性的に圧接されることを特徴とする請求項２３記載のプロセスカートリッジ。
【請求項２６】
前記現像剤層厚規制部材が弾性規制部材であることを特徴とする請求項２５記載のプロセスカートリッジ。
【請求項２７】
前記現像剤が磁性トナーを含む磁性一成分系現像剤であることを特徴とする請求項２１〜２６のいずれか一項に記載のプロセスカートリッジ。
【請求項２８】
前記現像剤が非磁性トナーを含む非磁性一成分系現像剤であることを特徴とする請求項２１〜２３、２５、２６のいずれか一項に記載のプロセスカートリッジ。
【請求項２９】
前記現像剤がトナーとキャリアとを含む二成分系現像剤であることを特徴とする請求項２１〜２６のいずれか一項に記載のプロセスカートリッジ。
【手続補正２】
【補正対象書類名】明細書
【補正対象項目名】００３２
【補正方法】変更
【補正の内容】
【００３２】
（１０）現像剤を収容する現像剤容器と、該現像剤容器内に収容されている現像剤を層状に担持する現像剤担持体とを有し、静電潜像担持体に対向する現像領域へ前記担持された現像剤を搬送し、前記搬送された現像剤により静電潜像担持体に担持された静電潜像を現像して可視化するための現像装置であって、前記現像剤担持体が（１）〜（９）のいずれかの現像剤担持体を有することを特徴とする現像装置。
【手続補正３】
【補正対象書類名】明細書
【補正対象項目名】００８６
【補正方法】変更
【補正の内容】
【００８６】
本発明において、現像剤担持体の樹脂被覆層の体積抵抗は好ましくは１０-2〜１０5Ω
・ｃｍであり、より好ましくは１０-2〜１０4Ω・ｃｍである。樹脂被覆層の体積抵抗が
１０5Ω・ｃｍを越える場合には、トナーのチャージアップが発生し易くなり、樹脂被覆
層へのトナー汚染を引き起こし易い。
【手続補正４】
【補正対象書類名】明細書
【補正対象項目名】０２１２
【補正方法】変更
【補正の内容】
【０２１２】
（７）樹脂被覆層の耐磨耗性耐久試験前後の現像剤担持体表面の中心線平均粗さ（Ｒａ）と樹脂被覆層の膜厚の削れ量を測定した。
【手続補正５】
【補正対象書類名】明細書
【補正対象項目名】０２８５
【補正方法】変更
【補正の内容】
【０２８５】
（５）樹脂被覆層の耐磨耗性耐久試験前後の現像剤担持体表面の中心線平均粗さ（Ｒａ）と樹脂被覆層の膜厚の削れ量を測定した。